(57)【要約】【課題】コンロッドをクランクシャフトに組み付ける際のクランクピン孔の真円度を高精度に製造する。【解決手段】コンロッド製造方法は、大端孔２ａの縁に設けられた破断部５で破断し、キャップ部１ａをロッド本体部１ｂから分離する工程と、キャップ部１ａをロッド本体部１ｂに接合する接合工程と、を有する。接合工程は、大端部２の外側に外側治具３０を配置し、大端孔２ａの内側に内側治具２０を配置して大端部２を固定する。固定工程は、外側治具３０を、破断部５と外側治具３０との間に間隙３５を形成するように配置して、内側治具２０を、破断部５の上方にスラスト間隙２５を形成するように配置して大端部２を固定する。【選択図】図１
2015021610.tif 000002
【特許請求の範囲】
【請求項１】
ピストンピンに連結させるための小端孔が形成された小端部と、クランクシャフトに連結されるための大端孔が形成された大端部とを備え、前記大端部でロッド本体部とキャップ部とに分離可能なコンロッドを製造する方法であって、
前記大端孔の縁の二箇所に設けられた破断部で破断し、前記キャップ部を前記ロッド本体部から前記コンロッドの略長手方向に分離する分離工程と、
前記分離工程の後に、前記キャップ部を前記ロッド本体部に接合する接合工程と、
を有するコンロッド製造方法において、
前記接合工程は、
外側治具を、前記破断部の径方向外側と前記外側治具の径方向内側との間に外側間隙を形成するように、前記大端部の径方向外側に配置し、
前記外側治具で前記大端部を径方向外側で固定し、
内側治具を、前記大端孔の縁部を孔深さ方向から押付け且つ前記破断部の孔深さ方向の外側にスラスト間隙を形成するように、前記大端孔内に配置し、
前記内側治具で、前記大端部を前記大端孔内で固定し、
前記ロッド本体部と前記キャップ部とをボルトで締結することを含むことを特徴とするコンロッド製造方法。
【請求項２】
前記外側治具は、前記キャップ部の側面を径方向外側から内側に押し付ける部分と、前記ロッド本体部の側面を径方向外側から内側に押し付ける部分とを備えていることを特徴とする請求項１に記載のコンロッド製造方法。
【請求項３】
前記外側治具は、前記大端部に接触する部分の面積のうち、前記キャップ部に接する面積が、前記ロッド本体部に接する面積よりも大きくなるように構成されていることを特徴とする請求項１または請求項２に記載のコンロッド製造方法。
【請求項４】
前記内側治具は、前記大端孔に挿入可能で、前記大端孔の内周面に接触する円筒面が設けられた円筒部と、前記円筒部に固定され、前記大端孔の縁部を孔深さ方向から押付け可能なフランジ部と、を有し、
前記フランジ部の外周には切欠きが設けられ、前記切欠きが前記スラスト間隙となるように構成されていることを特徴とする請求項１ないし請求項３のいずれか一項に記載のコンロッド製造方法。
【請求項５】
前記外側治具及び前記内側治具は、前記コンロッドよりも硬いことを特徴とする請求項１ないし請求項４のいずれか一項に記載のコンロッド製造方法。
【請求項６】
前記大端孔の両側部には、前記長手方向に沿って延びるボルト孔が形成され、
前記破断部は、前記ボルト孔を横断するように設けられ、
前記ロッド本体部と前記キャップ部とを前記ボルトで締結する工程は、
第１のトルクで前記ボルトを締結する第１の締結工程と、
前記第１の締結工程の後に、前記第１のトルクを０Ｎｍに戻す緩和工程と、
前記緩和工程の後に、前記ボルトの座面と前記大端部の座面とが密着可能な第２のトルクで締結する第２の締結工程と、
前記第２の締結工程の後に、さらに、前記ロッド本体部と前記キャップ部とを締結する第３の締結工程と、
を含み、
前記第３の締結工程の前に、前記外側治具及び前記内側治具を、前記大端部から取り外すことを特徴とする請求項１ないし請求項５のいずれか一項に記載のコンロッド製造方法。
【請求項７】
請求項１ないし請求項６のいずれか一項に記載のコンロッド製造方法により製造されることを特徴とするコンロッド。
【発明の詳細な説明】
【技術分野】
【０００１】
本発明は、コンロッド製造方法及びこの製造方法で製造されたコンロッドに関する。
【背景技術】
【０００２】
自動車エンジン等に使用されるコンロッドは、クランクピンに連結される部位である大端部と、ピストンピンに連結される部位である小端部と、を備えている。このコンロッドの製造方法として、大端部を破断分離させて再度接合する、いわゆる破断分割方法が知られている（特許文献１）。
【０００３】
この方法は、先ず、コンロッドを鍛造等により一体成形した後に、楔孔が備えられた治具（マンドレル）をクランクピン孔に挿入し、楔孔に楔を打ち込む。これにより、予めクランクピン孔の内周に備えられた２箇所の分割用溝またはノッチ等に、それぞれき裂を発生させる。その結果、コンロッドの大端部がロッド長手方向に離反され、キャップ部とロッド本体部とに分割される。
【０００４】
破断分割方法におけるコンロッドの製造工程及びクランクシャフトへの組付け工程は、下記の第１〜第９工程を有する。
（第１工程）鍛造成型（ロッドとキャップの一体成型）
（第２工程）粗加工
（第３工程）大端部のコンロッドボルト（以下、ボルトという）孔の加工
（第４工程）大端部の内周に備えられるノッチの加工
（第５工程）大端部を破断してロッドとキャップに分離
（第６工程）分離したロッドとキャップをボルトにて締結
（第７工程）仕上げ（真円）加工
（第８工程）ボルトを取り外してロッドとキャップに分離（分解）
（第９工程）クランクシャフトのクランクピンにロッドとキャップを配置し、ボルトで締結
【０００５】
特許文献１には、ボルト締結の工程（第６工程）におけるロッド本体部とキャップ部の破断面の位置ずれを防止するため、厚み方向の位置決めを行う治具22e及び側面の位置決めを行う治具22c,dを配置することで、厚み方向及び側面方向を拘束しつつボルトを締結する方法が開示されている。
【先行技術文献】
【特許文献】
【０００６】
【特許文献１】特開２０１２−８２８４５号公報
【発明の概要】
【発明が解決しようとする課題】
【０００７】
仕上げ加工（第７工程）にて形成されるクランクピン孔の真円度を、クランクシャフトへの組付け（第９工程）においても同等とするため、ボルト締結（第６工程）におけるボルトを締結する軸力は、クランクシャフトへの組付け（第９工程）におけるボルトの軸力と同等の値に設定されている。
【０００８】
ボルトは、所定のトルクで締結後に所定の角度で角度締めを行う方法によりコンロッドの座面に締結されることで、要求された軸力を満足している。仕上げ加工（第７工程）及びクランクシャフトへの組付け（第９工程）における所定のトルク及び所定の角度は、同等の値に設定されている。
【０００９】
しかし、上記例の治具22e及び治具22c,dを用いてボルト締結（第６工程）を行うと、下記のような問題点がある。
【００１０】
ボルトを締結している最中に、コンロッドスラスト面と治具22eとの摩擦、及びコンロッド側面と治具22c,dとの摩擦が生じてしまうため、軸力の一部が摩擦により低減され、ボルト締結するための軸力が低下してしまう。特に、コンロッドの破断部直上において、コンロッドと治具22e及び治具22c,dの摩擦が生じてしまうと、軸力の摩擦による低減の度合いが、より大きいものとなり、ボルト締結のための軸力がさらに低下してしまう。
【００１１】
ボルトの軸力が低下したままクランクピン孔を仕上げ加工（第７工程）した場合であっても、ボルトの軸力が低下した場合においてのみクランクピン孔の真円度は良好な状態が保たれる。
【００１２】
しかし、仕上げ加工（第７工程）後に真円のコンロッドのボルトを取り外し、ロッド本体部とキャップ部に分解（第８工程）してからクランクシャフトに組み付ける（第９工程）際には、再度、ボルト締結の工程（第６工程）と同等のトルクでボルトを締結することになる。このとき、クランクシャフトに組み付ける（第９工程）際には、摩擦を生ずる治具が存在しないため、ボルトの軸力は仕上げ加工（第７工程）の際よりも相対的に大きくなる。
【００１３】
ボルトの軸力が相対的に大きくなると、クランクピン孔が破断部方向に伸びた形状となるため、クランクピン孔の真円度は悪化してしまう。クランクピン孔の真円度が悪化したコンロッドをクランクシャフトに組み付けると、コンロッドとメタル（軸受）が焼付き、エンジンが始動しなくなってしまう可能性がある。
【００１４】
本発明は上記課題を解決するためになされたものであって、その目的は、コンロッドをクランクシャフトに組み付ける際のクランクピン孔の真円度を高精度に製造できるようにすることである。
【課題を解決するための手段】
【００１５】
上記目的を達成するため本発明に係るコンロッド製造方法は、ピストンピンに連結させるための小端孔が形成された小端部と、クランクシャフトに連結されるための大端孔が形成された大端部とを備え、前記大端部でロッド本体部とキャップ部とに分離可能なコンロッドを製造する方法であって、前記大端孔の縁の二箇所に設けられた破断部で破断し、前記キャップ部を前記ロッド本体部から前記コンロッドの略長手方向に分離する分離工程と、前記分離工程の後に、前記キャップ部を前記ロッド本体部に接合する接合工程と、を有するコンロッド製造方法において、前記接合工程は、外側治具を、前記破断部の径方向外側と前記外側治具の径方向内側との間に外側間隙を形成するように、前記大端部の径方向外側に配置し、前記外側治具で前記大端部を径方向外側で固定し、内側治具を、前記大端孔の縁部を孔深さ方向から押付け且つ前記破断部の孔深さ方向の外側にスラスト間隙を形成するように、前記大端孔内に配置し、前記内側治具で、前記大端部を前記大端孔内で固定し、前記ロッド本体部と前記キャップ部とをボルトで締結することを含む。
【００１６】
また、本発明に係るコンロッド製造に使用する前記外側治具は、前記キャップ部の側面を径方向外側から内側に押し付ける部分と、前記ロッド本体部の側面を径方向外側から内側に押し付ける部分と、を備え、前記内側治具は、大端孔（クランクピン孔）を固定する際に、ガイドとなる円筒部を備えている。
【００１７】
また、本発明に係るコンロッド製造に使用する前記外側治具は、前記大端部に接触する部分の面積のうち、前記キャップ部に接する面積が、前記ロッド本体部に接する面積よりも大きくなるように構成されている。
【００１８】
また、本発明に係るコンロッド製造に使用する前記内側治具は、前記大端孔に挿入可能で、前記大端孔の内周面に接触する円筒面が設けられた円筒部と、前記円筒部に固定され、前記大端孔の縁部を孔深さ方向から押付け可能なフランジ部と、を有し、前記フランジ部の外周には切欠きが設けられ、前記切欠きが前記スラスト間隙となる。
【００１９】
また、本発明に係るコンロッド製造に使用する前記外側治具及び内側治具は、前記コンロッドよりも硬い。
【００２０】
また、本発明に係るコンロッド製造方法は、前記大端孔の両側部には、前記長手方向に沿って延びるボルト孔が形成され、前記破断部は、前記ボルト孔を横断するように設けられ、前記ロッド本体部と前記キャップ部とを前記ボルトで締結する工程は、第１のトルクで前記ボルトを締結する第１の締結工程と、前記第１の締結工程の後に、前記第１のトルクを０Ｎｍに戻す緩和工程と、前記緩和工程の後に、前記ボルトの座面と前記大端部の座面とが密着可能な第２のトルクで締結する第２の締結工程と、前記第２の締結工程の後に、さらに、前記ロッド本体部と前記キャップ部とを締結する第３の締結工程と、を含み、前記第３の締結工程の前に、前記外側治具及び前記内側治具を、前記大端部から取り外す。
【００２１】
また、本発明に係るコンロッドは、上記製造方法の各態様により製造される。
【発明の効果】
【００２２】
本発明によれば、ピストンピンに連結させるための小端孔が形成された小端部と、クランクシャフトに連結されるための大端孔が形成された大端部とを備え、前記大端部でロッド本体部とキャップ部とに分離可能なコンロッドを製造する方法であって、前記大端孔の縁の二箇所に設けられた破断部で破断し、前記キャップ部を前記ロッド本体部から前記コンロッドの略長手方向に分離する分離工程と、前記分離工程の後に、前記キャップ部を前記ロッド本体部に接合する接合工程と、を有するコンロッド製造方法において、前記接合工程は、外側治具を、前記破断部の径方向外側と前記外側治具の径方向内側との間に外側間隙を形成するように、前記大端部の径方向外側に配置し、前記外側治具で前記大端部を径方向外側で固定し、内側治具を、前記大端孔の縁部を孔深さ方向から押付け且つ前記破断部の孔深さ方向の外側にスラスト間隙を形成するように、前記大端孔内に配置し、前記内側治具で、前記大端部を前記大端孔内で固定し、前記ロッド本体部と前記キャップ部とをボルトで締結することを含むので、コンロッドの破断部直上において、コンロッドと、外側治具及び内側治具との間で摩擦が発生しなくなる。すなわち、ボルト締結工程でボルトを締結しているときに、軸力が摩擦により低減されることがないため、ボルトの軸力の低下を抑制できる。その結果、大端孔（クランクピン孔）の真円度を向上させることが可能になる。
【００２３】
また、本発明によれば、前記外側治具は、前記キャップ部の側面を径方向外側から内側に押し付ける部分と、前記ロッド本体部の側面を径方向外側から内側に押し付ける部分と、を備えているので、大端部のキャップ部の側面と、大端部のロッド本体部の側面とを同時に押え付けることが可能となり、側面方向の位置ずれを抑制することが可能になる。
【００２４】
さらに、本発明によれば、前記外側治具は、前記大端部に接触する部分の面積のうち、前記キャップ部に接する面積が、前記ロッド本体部に接する面積よりも大きくなるように構成されているので、ボルトで締結するときに、ロッド本体部と、外側治具及び内側治具との摩擦を低減することができる。ボルトを締結しているときに、摩擦による軸力低減が抑制できるため、ボルトの軸力の低下を抑制でき、結果として、クランクピン孔の真円度を向上できる。
【００２５】
しかも、本発明によれば、前記内側治具は、前記大端孔に挿入可能で、前記大端孔の内周面に接触する円筒面が設けられた円筒部を有し、この円筒部の外周面を、大端孔（クランクピン孔）を固定するガイドとすることができる。この内側治具と、前記外側治具とを併用することで、ボルト締結するときに、大端部の側面方向への位置ずれを抑制することができ、仕上げ加工及びクランクシャフトへの組付けにおける真円度のずれが抑制できる。その結果、クランクピン孔の真円度を向上することが可能となる。
また、前記内側治具は、前記円筒部に固定され、前記大径孔の縁部を孔深さ方向から押付け可能なフランジ部を有し、前記フランジ部の外周には切欠きが設けられ、前記切欠きが前記スラスト間隙となる。このフランジ部でコンロッド大端孔の縁部を、孔深さ方向に押さえつける事で、厚み方向の位置ずれを抑制する事が可能になる。
【００２６】
また、本発明によれば、前記外側治具及び内側治具は、前記コンロッドよりも硬いので、外側治具及び内側治具が、ボルト締結等に伴う変形が抑制される。
【００２７】
また、本発明によれば、前記大端孔の両側部には、前記長手方向に沿って延びるボルト孔が形成され、前記破断部は、前記ボルト孔を横断するように設けられ、前記ロッド本体部と前記キャップ部とを前記ボルトで締結する工程は、第１のトルクで前記ボルトを締結する第１の締結工程と、前記第１の締結工程の後に、前記第１のトルクを０Ｎｍに戻す緩和工程と、前記緩和工程の後に、前記ボルトの座面と前記大端部の座面とが密着可能な第２のトルクで締結する第２の締結工程と、前記第２の締結工程の後に、さらに、前記ロッド本体部と前記キャップ部とを締結する第３の締結工程と、を含み、前記第３の締結工程の前に、前記外側治具及び前記内側治具を、前記大端部から取り外すので、ボルトの軸力の低下をさらに抑制できる。
【００２８】
上記のような製造方法でコンロッドを製造するので、上記のような効果を得ることができると共に、高精度な真円度特性を有するコンロッドを得ることができる。
【図面の簡単な説明】
【００２９】
【図１】本発明に係るコンロッド製造方法の第１の実施形態を示す概略上面図である。
【図２】図１の内側治具の概略斜視図である。
【図３】図１の外側治具の概略斜視図である。
【図４】本発明に係るコンロッド製造方法の第２の実施形態を示す概略上面図である。
【図５】図４の内側治具の概略斜視図である。
【図６】本発明に係るコンロッド製造方法の第３の実施形態を示す概略上面図である。
【図７】図６の内側治具の概略斜視図である。
【発明を実施するための形態】
【００３０】
以下、本発明に係るコンロッド製造方法の実施形態について、図面を参照しながら説明する。
【００３１】
［第１の実施形態］
第１の実施形態について、図１〜図３を用いて説明する。図１は、本実施形態に係るコンロッド製造方法の第１の実施形態を示す概略上面図である。図２は、図１の内側治具２０の概略斜視図である。図３は、図１の外側治具３０の概略斜視図である。
【００３２】
先ず、本実施形態のコンロッド製造方法により製造されるコンロッド１の形状について説明する。コンロッド１は、長手方向の両側に大端部２及び小端部３が設けられている。大端部２の短手方向（幅方向）の長さは、小端部３の幅方向長さより大きくなるように形成されている。
【００３３】
大端部２には円形の大端孔２ａが形成され、小端部３には円形の小端孔３ａが形成されている。大端孔２ａの直径は、小端孔３ａの直径よりも大きい。小端孔３ａは、コンロッド１がピストンピンに連結されるための孔で、大端孔２ａは、コンロッド１がクランクピンに連結されるための孔である。
【００３４】
コンロッド１は、大端部２でロッド本体部１ｂとキャップ部１ａとに分離可能である。このコンロッド１は、大端部２に設けられた破断部５で長手方向に離反される。破断部５は、大端孔２ａの縁から径方向外側に延びるように設けられる。この破断部５は、周方向に間隔をあけて２箇所に設けられる。この例では、ほぼ１８０度の位置、すなわち、大端孔２ａの孔中心を介して互いに対向するように設けられている。
【００３５】
大端部２の両側部には、コンロッド１の長手方向に貫通するボルト孔が形成されている。各破断部５は、ボルト孔を横断するように設けられている。
【００３６】
以下、コンロッド１の製造方法について説明する。
【００３７】
コンロッド１は、先ず、鍛造成形により一体に形成される。ロッド本体部１ｂと、キャップ部１ａとは、この段階では一体である。粗加工で、大端部２及び小端部３等の形状を大まかに加工する。この段階で、外観形状はほぼ仕上がった状態である。大端孔２ａ及び小端孔３ａもこのとき加工される。なお、コンロッド１の成形は、鍛造には限定されない。
【００３８】
この後に、大端孔２ａの側部に、ボルト孔を加工する。さらに、大端部２の大端孔２ａの内周面にノッチを加工する。このノッチが破断部５となる。
【００３９】
その後、大端部２を破断部５で破断して、ロッド本体部１ｂと、キャップ部１ａとに分離する。その後、ロッド本体部１ｂとキャップ部１ａとを固定用ボルト７にて締結する。この工程の詳細については、後述する。
【００４０】
固定用ボルト７で締結した後に、大端孔２ａの真円度を仕上げるための加工を行う。その後、再びキャップ部１ａとロッド本体部１ｂとを分離し、クランクシャフトのクランクピンにロッド本体部１ｂとキャップ部１ａを配置し、固定用ボルト７で締結し、クランクピンにコンロッド１が連結される。
【００４１】
以下、接合工程、すなわち、破断分割した後に再び接合するまでの工程について詳しく説明する。
【００４２】
接合工程は、治具による固定工程と、ボルト締結工程と、を含む。固定工程は、キャップ部１ａをロッド本体部１ｂに仮連結した後に複数の治具を用いて大端部２及び小端部３を固定する工程である。ここで、仮連結とは、キャップ部１ａ及びロッド本体部１ｂの破断部５同士を、単に接続させた状態で、固定用ボルト７で締結する前の状態である。ボルト締結工程は、キャップ部１ａ及びロッド本体部１ｂを仮連結させた状態で、固定用ボルト７により締結する工程である。
【００４３】
ここで、固定工程で用いる治具について説明する。固定工程では、４個の治具、すなわち、外側治具３０と、内側治具２０と、大端部側治具５０と、小端部側治具５１と、を用いる。
【００４４】
大端部側治具５０は、大端部２の長手方向端に配置され、コンロッド１の長手方向の移動を規制する。小端部側治具５１は、小端部３の長手方向端に配置され、長手方向の動きを規制する。
【００４５】
外側治具３０は、大端部２の幅方向両側（両側部）に設けられ、外側治具３０のさらに幅方向外側には、押付け機構部４０が設けられている。この押付け機構部４０は、押付け用ボルト８が取り付けられ、この押付け用ボルト８を回転させることで、押付け用ボルト８が外側治具３０を押し付ける。
【００４６】
外側治具３０は、キャップ部１ａの側面を径方向外側から内側に押し付けるキャップ押付け部３１と、ロッド本体部１ｂの側面を径方向外側から内側に押し付けるロッド押付け部３２と、これらを連結する連結部３３と、有する。ここで径方向とは、大端孔２ａの半径方向で、この例では図１における上下方向である。
【００４７】
キャップ押付け部３１及びロッド押付け部３２は、幅方向（図１の上下方向）に延び、互いに長手方向（図１の左右方向）間隔をあけて設けられる。すなわち、外側治具３０は、上面視でコの字状である（図３）。
【００４８】
図１に示すように、外側治具３０は、連結部３３が大端部２の側面に対して外側間隙３５を形成するように配置される。この大端部２の側面には、破断部５が設けられている。すなわち、外側治具３０は、破断部５には接しないように配置される。
【００４９】
また、外側治具３０は、大端部２に接触する部分の面積のうち、キャップ部１ａに接する面積が、ロッド本体部１ｂに接する面積よりも大きくなるように構成されている。具体的には、キャップ押付け部３１の長手方向（図１の左右方向）の長さが、ロッド押付け部３２の長手方向長さよりも大きくなるように構成されている。
【００５０】
内側治具２０は、図２に示すように、二段の円筒状である。上部の円筒（フランジ部２１）の方が下部の円筒（下側円筒部２２）よりも直径が大きい。下側円筒部２２は、大端孔２ａの中に挿入される。ここで、下側円筒部２２の直径と、大端孔２ａとの直径差は、約６０マイクロメートル以下がよい。フランジ部２１の図２における下部が、大端孔２ａの縁部を孔深さ方向（スラスト方向）から押し付ける。すなわち、フランジ部２１は、大端部２のスラスト面に接するように取り付けられる。
【００５１】
フランジ部２１の外周部には、二箇所に切欠き２１ａが形成されている。この切欠き２１ａは、互いに対向する位置、すなわち、１８０度の位置に形成されている。内側治具２０は、大端孔２ａに挿入されるときに、破断部５のスラスト面の上方にスラスト間隙２５を形成するように配置される。すなわち、切欠き２１ａがスラスト間隙２５となり、内側治具２０のフランジ部２１は、破断部５には接しないように配置される。
【００５２】
内側治具２０の下側円筒部２２は、大端孔（クランクピン孔）を固定する際に、ガイドとなる。
【００５３】
また、外側治具３０及び内側治具２０は、コンロッド１よりも硬い材料で形成される。
【００５４】
固定工程は、上述したように、外側治具３０を、破断部５の径方向外側と外側治具３０の径方向内側面との間に外側間隙３５を形成するように配置した状態で、大端部２を径方向外側で固定し、内側治具２０を、大端孔２ａの縁部をスラスト方向から押し付け且つ破断部５のスラスト方向の外側にスラスト間隙２５を形成するように配置した状態で、大端部２を径方向内側及びスラスト方向から固定する。このとき、内側治具２０を押え付ける方法としては、例えば、内側治具２０を油圧プレスで押し付けてもよいし、内側治具２０の径中心に貫通孔を設け、コンロッド１が置かれる下側の治具にボルト孔を開け、上方からボルトで締結してもよい。
【００５５】
ボルト締結工程は、２つの締結工程、すなわち、第１の締結工程及び第２の締結工程を含む。第１の締結工程では、第１のトルク（所定値）で固定用ボルト７を締結し、その後に、第１のトルクを０Ｎｍに戻す（緩和工程）。
【００５６】
その後、第２の締結工程を行う。第２の締結工程では、固定用ボルト７の座面と大端部２の座面とが密着可能な第２のトルクで締結する。
【００５７】
第２の締結工程の後に、所定の回転角まで固定用ボルト７を回転させて、ロッド本体部１ｂとキャップ部１ａとを締結する（ボルト回転角度締め工程）。さらに、ボルト回転角度締め工程の前に、外側治具３０及び内側治具２０を、大端部２から取り外しておく。
【００５８】
以上のようなコンロッド製造方法により、コンロッド１の破断部５直上において、コンロッド１と、外側治具３０及び内側治具２０との間で摩擦が発生しなくなる。すなわち、ボルト締結工程で固定用ボルト７を締結しているときに、軸力が摩擦により低減されることがないため、固定用ボルト７の軸力の低下を抑制できる。その結果、クランクシャフトに組付ける際との軸力差がなくなるため、大端孔（クランクピン孔）２ａの真円度を向上させることが可能になる。
【００５９】
また、本実施形態によれば、大端部２のキャップ部１ａの側面と、大端部２のロッド本体部１ｂの側面とを同時に押え付けることが可能となり、側面方向の位置ずれを抑制することが可能になる。また、フランジ部２１のキャップ部１ａ側の上面と、ロッド本体部１ｂ側の上側面を同時に押え付けることで、コンロッド１のキャップ部１ａとロッド本体部１ｂの厚み方向の位置ずれを抑制することが可能になる。
【００６０】
さらに、本実施形態によれば、外側治具３０は、大端部２に接触する部分の面積のうち、キャップ部１ａに接する面積が、ロッド本体部１ｂに接する面積よりも大きくなるように構成されているので、固定用ボルト７で締結するときに、ロッド本体部１ｂと、外側治具３０及び内側治具２０との摩擦を低減することができる。ボルト締結しているときに、摩擦による軸力低減が抑制できるため、固定用ボルト７の軸力の低下を抑制でき、結果として、クランクピン孔の真円度を向上できる。
【００６１】
しかも、本実施形態によれば、内側治具２０の下側円筒部２２は、大端孔２ａに挿入可能で、大端孔２ａの内周面に接触可能な円筒面が形成されているので、下側円筒部２２の外周面を、大端孔２ａを固定するガイドとすることができる。この内側治具２０と、外側治具３０とを併用することで、ボルト締結するときに、大端部２の側面方向への位置ずれを抑制することができ、仕上げ加工及びクランクシャフトへの組付けにおける真円度のずれが抑制できる。その結果、大端孔２ａの真円度を向上することが可能となる。
【００６２】
また、本実施形態では、外側治具３０及び内側治具２０は、コンロッド１よりも硬いので、外側治具３０及び内側治具２０が、ボルト締結等に伴う変形が抑制される。
【００６３】
また、本実施形態では、２度のボルト締結のうち、１度目の締結では位置ずれを防止した後で２度締めの前までに、外側治具３０及び内側治具２０を取り外すので、締付軸力の低下を最小限に抑えることができる。
【００６４】
以上の説明からわかるように本実施形態によれば、コンロッド１をクランクシャフトに組み付ける際の大端孔（クランクピン孔）２ａの真円度を高精度に製造することが可能となり、高精度な真円度特性を有するコンロッド１を得ることができる。
【００６５】
［第２の実施形態］
第２の実施形態について、図４及び図５を用いて説明する。図４は、本実施形態に係るコンロッド製造方法の第２の実施形態を示す概略上面図である。図５は、図４の内側治具２０の概略斜視図である。本実施形態は、第１の実施形態（図１〜図３）の変形例であって、第１の実施形態と同一部分または類似部分には、同一符号を付して、重複説明を省略する。
【００６６】
本実施形態の内側治具２０は、第１の実施形態で説明した切欠き２１ａ（図３）よりも周方向幅が大きくなるように形成される。その結果、ロッド本体部１ｂ側の大端孔２ａのスラスト面に接する部分が少なくなる。すなわち、大端部２に接触する部分の面積のうち、キャップ部１ａに接する面積が、ロッド本体部１ｂに接する面積よりも大きい。その結果、第１の実施形態と同様の効果が得られると共に、ボルト締結しているときに、摩擦による軸力低減をさらに抑制することが可能となる。
【００６７】
［第３の実施形態］
第３の実施形態について、図６及び図７を用いて説明する。図６は、本実施形態に係るコンロッド製造方法の第３の実施形態を示す概略上面図である。図７は、図６の内側治具２０の概略斜視図である。本実施形態は、第１の実施形態（図１〜図３）の変形例であって、第１の実施形態と同一部分または類似部分には、同一符号を付して、重複説明を省略する。
【００６８】
本実施形態の内側治具２０のフランジ部２１は、円弧部２３と、直線部２４とを有する、いわゆるレーストラック形状である。この例では、直線部２４の側面と、大端孔２ａのスラスト面との間に、スラスト間隙２５を形成する。これにより、第１の実施形態と同様の効果を得ることができる。
【００６９】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００７０】
例えば、上記実施形態では、外側治具３０を両側部それぞれに押付け機構部４０を配置しているがこれに限らない。二つの外側治具３０を幅方向外側から挟み込むような機構を用いてもよい。また、内側治具２０を円筒状の例で説明しているが、これに限らない。フランジ部２１は、大端孔２ａの内周を押付けるものであればよい。例えば、梁状の部材で押し付けてもよい。さらに、外側治具３０を押え付ける方法は、押付け用ボルト８を用いて押えているが、これに限らない。例えば、外側治具３０を直接油圧プレスで押え付けてもよい。
【００７１】
また、上記実施形態では、ボルト回転角度締め工程を行っているがこれに限らない。例えばトルク締めでもよい。この場合、当該トルク締めを行う前に、外側治具３０及び内側治具３０を取り外せばよい。
【符号の説明】
【００７２】
１  コンロッド
１ａ  キャップ部
１ｂ  ロッド本体部
２    大端部
２ａ  大端孔
３  小端部
３ａ  小端孔
５  破断部
７  固定用ボルト
８  押付け用ボルト
２０  内側治具
２１  フランジ部
２１ａ  切欠き
２２  下側円筒部
２３  円弧部
２４  直線部
２５  スラスト間隙
３０  外側治具
３１  キャップ押付け部
３２  ロッド押付け部
３３  連結部
３５  外側間隙
４０  押付け機構部
５０  大端部側治具
５１  小端部側治具
【図１】
2015021610.tif 000003
【図２】
2015021610.tif 000004
【図３】
2015021610.tif 000005
【図４】
2015021610.tif 000006
【図５】
2015021610.tif 000007
【図６】
2015021610.tif 000008
【図７】
2015021610.tif 000009